(57)【要約】【課題】利用者の満足度を高めることが可能であること、および介護スタッフが利用者の身体を洗う際の負荷を軽減することの少なくとも一つを達成することが可能な介護用浴槽を提供する。【解決手段】上半身側が位置する第１分割浴槽２０Ａと、下半身側が位置する第２分割浴槽２０Ｂとを連結することにより浴槽本体部２０が構成される介護用浴槽１０であって、第１分割浴槽２０Ａには、利用者の首を支持する首支持部２３と、この首支持部２３よりも利用者の頭部側が位置する洗髪台部２１２が設けられていて、第１分割浴槽２０Ａには、第２分割浴槽２０Ｂから離間する一端側の上縁部が最も上方側に位置するハイカット部２２が設けられていて、ハイカット部２２の始点側は上方側に向かうように湾曲する曲率が最も大きく設けられていて、ハイカット部２２のうち首支持部２３側よりも一端側では、上縁部の傾斜角度が徐々に緩くなるように設けられている。【選択図】図１
2016116554.tif 000002
【特許請求の範囲】
【請求項１】
上半身側が位置する第１分割浴槽と、下半身側が位置する第２分割浴槽とを連結することにより浴槽本体部が構成される介護用浴槽であって、
前記第１分割浴槽には、利用者の首を支持する首支持部と、この首支持部よりも利用者の頭部側が位置する洗髪台部が設けられていて、
前記第１分割浴槽には、当該第１分割浴槽の長手方向において前記首支持部よりも前記第２分割浴槽側を始点として前記洗髪台部に向かうにつれて側壁の上縁部が徐々に高くなるハイカット部が設けられていて、そのハイカット部では前記第２分割浴槽から離間する一端側の前記上縁部が最も上方側に位置していて、
前記ハイカット部の前記始点側は、前記洗髪台部に向かうにつれて前記側壁の前記上縁部が上方側に向かうように湾曲する曲率が最も大きく設けられていて、
前記ハイカット部のうち前記首支持部側よりも前記一端側では、前記上縁部の傾斜角度が始点側よりも緩くなるように設けられている、
ことを特徴とする介護用浴槽。
【請求項２】
請求項１記載の介護用浴槽であって、
前記ハイカット部は、前記首支持部に利用者の首を乗せた状態において一端側の前記上縁部が利用者の目線よりも高くなるように設けられている、
ことを特徴とする介護用浴槽。
【請求項３】
請求項１または２記載の介護用浴槽であって、
前記ハイカット部は、前記浴槽本体部の長手方向のうち利用者の足先側の他端側に向かうにつれて、前記上縁部が下降すると共に利用者が下半身側の周囲を見渡せる視界確保形状に設けられている、
ことを特徴とする介護用浴槽。
【請求項４】
請求項１から３のいずれか１項に記載の介護用浴槽であって、
前記首支持部から前記第２分割浴槽に向かう部分には、利用者の首の下方側から腰にわたる部分を支持するバックレスト部が設けられていて、
前記バックレスト部のうち前記首支持部側の上部側が設置面に対してなす傾斜角度は、４５度を超える角度に設けられ、当該バックレスト部の上方側から下方に向かうにつれて、滑らかな曲面を描くように設けられている、
ことを特徴とする介護用浴槽。
【請求項５】
請求項１から４のいずれか１項に記載の介護用浴槽であって、
前記第１分割浴槽から前記第２分割浴槽に向かう方向を長手方向とし、その長手方向に直交する方向を幅方向とした場合、
少なくとも前記第１分割浴槽のうち前記首支持部よりも前記第２分割浴槽側の部分を、前記幅方向と上下方向とがなす平面で切断した断面には、その断面の上方側に拡幅部が設けられていて、
前記拡幅部は、前記断面の下方側から上方側に向かう際の曲率を変動させないと想定した場合の形状線よりも、前記幅方向の寸法を拡大して設けられていて、
前記拡幅部は、拡幅メイン部と、移行部とを有していて、前記拡幅メイン部は、前記形状線に対して平行となるように、その断面形状が直線状または前記移行部よりも曲率の小さな曲線形状に設けられていて、前記移行部に沿って上側から下側に向かうと、当該移行部には曲がる向きが互いに逆転する第１湾曲部と第２湾曲部とが設けられていて、
前記第１湾曲部は上方から下方に向かうと徐々に浴槽内部２１の中央側に向かうように湾曲し、前記第２湾曲部は前記第１湾曲部とは逆に湾曲している、
ことを特徴とする介護用浴槽。
【請求項６】
請求項１から５のいずれか１項に記載の介護用浴槽であって、
前記第１分割浴槽から前記第２分割浴槽に向かう方向を長手方向とし、その長手方向に直交する方向を幅方向とした場合、
少なくとも前記第２分割浴槽の底部のうち、前記幅方向の中央側には、中央隆起部が設けられ、その中央隆起部の幅方向の両側には、ガイド凹部が設けられていて、
前記中央隆起部は、前記ガイド凹部よりも上方に突出して設けられている、
ことを特徴とする介護用浴槽。
【発明の詳細な説明】
【技術分野】
【０００１】
本発明は、介護用浴槽に関する。
【背景技術】
【０００２】
現在、訪問入浴サービスが広く行われている。訪問入浴サービスにおいては、ボイラー他の専用設備を備えた業務用車（入浴車）に、介護用浴槽を搭載し、その介護用浴槽を利用者の自宅に搬送して、入浴サービスを実施している。このような訪問入浴サービスに用いられる介護用浴槽としては、たとえば特許文献１に示すものがある。
【０００３】
特許文献１に開示の構成では、介護用浴槽は、第１半割槽４と第２半割槽５とに２分割された構成となっている。そして、利用者の自宅にて、これら第１半割槽４と第２半割槽５とを組み立てている。
【先行技術文献】
【特許文献】
【０００４】
【特許文献１】特開２０１３−７８４７８号公報
【発明の概要】
【発明が解決しようとする課題】
【０００５】
ところで、特許文献１に開示の構成では、利用者がリラックスした状態で利用することが困難な場合があるという問題がある。すなわち、利用者の中には、介護スタッフが周囲にいる状況で、裸になって入浴することに抵抗のある人もおり、そのような利用者にとっては心理的な面で入浴サービスの満足度が低い状態となっている。
【０００６】
また、現状の介護用浴槽の狭いスペース内では、介護スタッフが利用者の身体を洗う際の負荷も大きなものとなっている。
【０００７】
本発明は、かかる問題に鑑みてなされたものであり、その目的とするところは、利用者の満足度を高めることが可能であること、および介護スタッフが利用者の身体を洗う際の負荷を軽減することの少なくとも一つを達成することが可能な介護用浴槽を提供しよう、とするものである。
【課題を解決するための手段】
【０００８】
上記課題を解決するために、本発明の第１の側面は、上半身側が位置する第１分割浴槽と、下半身側が位置する第２分割浴槽とを連結することにより浴槽本体部が構成される介護用浴槽であって、第１分割浴槽には、利用者の首を支持する首支持部と、この首支持部よりも利用者の頭部側が位置する洗髪台部が設けられていて、第１分割浴槽には、当該第１分割浴槽の長手方向において首支持部よりも第２分割浴槽側を始点として洗髪台部に向かうにつれて側壁の上縁部が徐々に高くなるハイカット部が設けられていて、そのハイカット部では第２分割浴槽から離間する一端側の上縁部が最も上方側に位置していて、ハイカット部の始点側は、洗髪台部に向かうにつれて側壁の上縁部が上方側に向かうように湾曲する曲率が最も大きく設けられていて、ハイカット部のうち首支持部側よりも一端側では、上縁部の傾斜角度が始点側よりも緩くなるように設けられている、ことを特徴としている。
【０００９】
また、本発明の介護用浴槽の他の側面は、上述の発明に加えて更に、ハイカット部は、首支持部に利用者の首を乗せた状態において一端側の上縁部が利用者の目線よりも高くなるように設けられている、ことが好ましい。
【００１０】
また、本発明の介護用浴槽の他の側面は、上述の発明に加えて更に、ハイカット部は、浴槽本体部の長手方向のうち利用者の足先側の他端側に向かうにつれて、上縁部が下降すると共に利用者が下半身側の周囲を見渡せる視界確保形状に設けられている、ことが好ましい。
【００１１】
さらに、本発明の介護用浴槽の他の側面は、上述の発明に加えて更に、首支持部から第２分割浴槽に向かう部分には、利用者の首の下方側から腰にわたる部分を支持するバックレスト部が設けられていて、バックレスト部のうち首支持部側の上部側が設置面に対してなす傾斜角度は、４５度を超える角度に設けられ、当該バックレスト部の上方側から下方に向かうにつれて、滑らかな曲面を描くように設けられている、ことが好ましい。
【００１２】
また、本発明の介護用浴槽の他の側面は、上述の発明に加えて更に、第１分割浴槽から第２分割浴槽に向かう方向を長手方向とし、その長手方向に直交する方向を幅方向とした場合、少なくとも第１分割浴槽のうち首支持部よりも第２分割浴槽側の部分を、幅方向と上下方向とがなす平面で切断した断面には、その断面の上方側に拡幅部が設けられていて、拡幅部は、断面の下方側から上方側に向かう際の曲率を変動させないと想定した場合の形状線よりも、幅方向の寸法を拡大して設けられていて、拡幅部は、拡幅メイン部と、移行部とを有していて、拡幅メイン部は、形状線に対して平行な部分を有し、かつ移行部よりも曲率の小さな曲線形状に設けられていて、移行部に沿って上側から下側に向かうと、当該移行部には曲がる向きが互いに逆転する第１湾曲部と第２湾曲部とが設けられていて、第１湾曲部は上方から下方に向かうと徐々に浴槽内部２１の中央側に向かうように湾曲し、第２湾曲部は前記第１湾曲部とは逆に湾曲している、ことが好ましい。
【００１３】
さらに、本発明の介護用浴槽の他の側面は、上述の発明に加えて更に、第１分割浴槽から第２分割浴槽に向かう方向を長手方向とし、その長手方向に直交する方向を幅方向とした場合、少なくとも第２分割浴槽の底部のうち、幅方向の中央側には、中央隆起部が設けられ、その中央隆起部の幅方向の両側には、ガイド凹部が設けられていて、中央隆起部は、ガイド凹部よりも上方に突出して設けられている、ことが好ましい。
【発明の効果】
【００１４】
本発明の介護用浴槽によると、利用者の満足度を高めることが可能であること、および介護スタッフが利用者の身体を洗う際の負荷を軽減することの少なくとも一つを達成することが可能となる。
【図面の簡単な説明】
【００１５】
【図１】本発明の一実施の形態に係る介護用浴槽の全体構成を示す斜視図である。
【図２】図１の介護用浴槽の構成を示す側面図である。
【図３】浴槽本体部の断面を拡大して示す図である。
【図４】図１の介護用浴槽を構成するパッキン部を拡大して示す図である。
【図５】図１の介護用浴槽を構成する接合部材が下半身側分割浴槽に対して取り付けられた態様を示す図である。
【図６】図１の介護用浴槽の首支持部を拡大して示す斜視図である。
【図７】図１の介護用浴槽の浴槽本体部を首支持部付近で切断した状態を示す正面断面図である。
【図８】図１の介護用浴槽の浴槽本体部の側面断面図である。
【図９】図９は、介護用浴槽の従来の浴槽本体部の側断面図である。
【図１０】図８におけるＡ−Ａ線付近で浴槽本体部を切断した状態を示す正面断面図であり、切断部分からＸ１側を見た状態を示す図である。
【図１１】図８におけるＢ−Ｂ線付近で浴槽本体部を切断した状態を示す正面断面図であり、切断部分からＸ１側を見た状態を示す図である。
【発明を実施するための形態】
【００１６】
以下、本発明の一実施の形態に係る介護用浴槽１０について、図面に基づいて説明する。以下の説明では、ＸＹＺ直交座標系を用いて説明することがあるものとし、介護用浴槽１０の長手方向をＸ方向とし、Ｘ１側を洗髪台部２１２の位置する側、Ｘ２側をそれとは反対側として説明する。また、介護用浴槽１０の幅方向をＹ方向とし、図１において右側をＹ１側、それとは逆の左側をＹ２側として説明する。また、介護用浴槽１０の上下方向をＺ方向とし、Ｚ１側を上側、Ｚ２側を下側として説明する。
【００１７】
図１は、介護用浴槽１０の全体構成を示す斜視図である。図２は、介護用浴槽１０の構成を示す側面図である。図１および図２に示すように、介護用浴槽１０は、浴槽本体部２０と、支持脚部４０とを有していて、浴槽本体部２０は、第１分割浴槽に対応する上半身側分割浴槽２０Ａと、第２分割浴槽に対応する下半身側分割浴槽２０Ｂと、パッキン部３０とを有している。
【００１８】
浴槽本体部２０は、上半身側分割浴槽２０Ａと、下半身側分割浴槽２０Ｂとが、パッキン部３０を介して連結される。それにより、図１に示すような、湯水を蓄えて利用者が入浴することが可能な浴槽内部２１が形成される。
【００１９】
図３は、浴槽本体部２０の断面を拡大して示す図である。図３に示すように、浴槽本体部２０は、樹脂基材Ｐ１と、被覆材Ｐ２を材質として形成されている。樹脂基材Ｐ１は、次のような樹脂材料を用いることができる。具体的には、アクリル樹脂、ポリプロピレン、ポリ塩化ビニル、ポリエチレン、ポリスチレン、ポリビニルアルコール、各種のエンジニアリングプラスチック、ポリアセタール、ポリアセタール（POM、ポリアミド（PA）、ポリカーボネート（PC）、変性ポリフェニレンエーテル（m-PPE）、ポリブチレンテレフタレート（PBT）、その他 GF強化ポリエチレンテレフタレート（GF-PET）、超高分子量ポリエチレン（UHPE）、シンジオタクチックポリスチレン（SPS）、非晶ポリアリレート（PAR; Polyacrylate）、ポリサルフォン（PSF; Polysulfone）、ポリエーテルサルフォン（PES; Polyethersulfone）、ポリフェニレンスルファイド（PPS; Polyphenylene sulfide）、ポリエーテルエーテルケトン（PEEK; Polyether ether ketone）、ポリイミド（PI; Polyimide）、ポリエーテルイミド（PEI; Polyetherimide）、フッ素樹脂（fluorocarbon polymers）、液晶ポリマー（LCP; Liquid crystal polymer）等が挙げられる。また、被覆材Ｐ２は、たとえば炭化したアクリル樹脂繊維である炭素繊維強化プラスチックを用いることができる。樹脂基材Ｐ１に対して被覆材Ｐ２は貼り付けられているが、その際に、被覆材Ｐ２にたとえばエポキシ等のような液状かつ接着性を有する樹脂を含浸させて（いわゆるウエットカーボン方式にて）、樹脂基材Ｐ１に被覆材Ｐ２を貼り付けている。なお、被覆材Ｐ２は、単数層の貼り付けでも、複数層の貼り付けでも良い。また、より軽量で強度が要求される場合には、ウエットカーボン方式ではなく、真空引き等を伴いつつオートクレーブで加熱加圧を行うドライカーボン方式としても良い。
【００２０】
図４は、パッキン部３０を拡大して示す図である。図４に示すように、パッキン部３０は、一対の接合部材３１，３２と、シール部材３３と、クランプ機構３４とを有している。一対の接合部材３１，３２のうち、接合部材３１は、下半身側分割浴槽２０Ｂに取り付けられ、接合部材３２は、上半身側分割浴槽２０Ａに取り付けられている。そのため、接合部材３１，３２は、それぞれ上半身側分割浴槽２０Ａおよび下半身側分割浴槽２０Ｂの外周面形状に倣うように形成されていて、その外観がＵ字形状となるように設けられている。ただし、Ｕ字形状のうち、接合部材３１，３２の下部側は、浴槽内部２１の底部形状に沿って直線状に設けられている。
【００２１】
また、本実施の形態では、一対の接合部材３１は、アルマイト処理したアルミニウムといった金属を材質として形成されている。なお、一対の接合部材３１，３２は、アルミニウム以外の金属を材質としても良い。また、上述とは逆に、上半身側分割浴槽２０Ａに接合部材３１を取り付けると共に、下半身側分割浴槽２０Ｂに接合部材３２を取り付ける構成を採用しても良い。
【００２２】
図５は、接合部材３１が下半身側分割浴槽２０Ｂに対して取り付けられた態様を示す図である。なお、図５には示さないが、接合部材３２も上半身側分割浴槽２０Ａに対して同様に取り付けられている。この図５に示すように、一対の接合部材３１，３２は、浴槽本体部２０よりも下方側に位置するように取り付けられている。しかも、接合部材３１と接合部材３２とが面状に対向するように取り付けられている。このような取付態様とすることにより、接合部材３１，３２は、浴槽内部２１に露出しない。そのため、利用者が入浴する場合でも、金属部分である接合部材３１，３２が利用者に接触するのを防ぐことができ、利用者に冷たい感じを与えるのを防止可能となる。
【００２３】
なお、本実施の形態においては、浴槽本体部２０においては、接合部材３１，３２を含め、金属製の部分は回り込み部２０１に存在しないように設けられている。加えて、浴槽内部２１においても、接合部材３１，３２を始め、金属製の部分が存在しないように設けられている。そのため、利用者が座ったり入浴する等して、利用者が触れる部分において、利用者が冷たい等、温度差を感じるのを防ぐことが可能となっている。
【００２４】
また、接合部材３１には、凹形状の取付溝３１ａが設けられている。この凹形状の取付溝３１ａは、接合部材３１の幅方向に沿って２条（２つ）設けられている。ここでいう幅方向とは、接合部材３１が下半身側分割浴槽２０Ｂに取り付けられた状態において、浴槽内部２１の内部から外部に向かう方向が該当する。図５には、接合部材３１の両端側にまで亘るような取付溝３１ａが環状に設けられていて、その環状の取付溝３１ａには、シール部材３３が嵌め込まれる。シール部材３３は、たとえばシリコンゴム等のようなゴムパッキンであり、取付溝３１ａに嵌め込まれても、そのシール部材３３の一部が突出する。それにより、シール部材３３が接合部材３２の表面に接触し、浴槽内部２１の湯水が外部に漏れるのを防止する。
【００２５】
このように、本実施の形態では、２条（２つ）の取付溝３１ａが設けられ、その取付溝３１ａにシール部材３３が嵌め込まれるので、１条（１つ）のみの取付溝が設けられる場合と比較して、湯水が浴槽内部２１から漏れるのを良好に防止可能となる。
【００２６】
また、クランプ機構３４は、支持ロッド３４１を備えている。支持ロッド３４１は、接合部材３１の挿通孔３１ａに挿通自在に設けられている。一方で、接合部材３２には、支持ロッド３４１を挿入するためのロッド用切欠部３２ａが設けられていて、このロッド用切欠部３２ａの最も奥側の端部で支持ロッド３４１が係止される。また、支持ロッド３４１のうちＸ２側の端部には、リンクレバー３４３のリンク部３４３ａの他端側（Ｘ２側）が支持軸等を介して回転自在に連結されている。リンクレバー３４３は、リンク部３４３ａと把持部３４３ｂを有していて、これらが略Ｌ字形状をなすように曲げられている。
【００２７】
また、リンク部３４３ａの一端側（Ｘ１側）は、リンク部材３４２の他端側（Ｘ２側）に連結されていて、そのリンク部材３４２の一端側（Ｘ１側）は、リンク固定部３４４に連結されている。そのため、リンクレバー３４３を把持して、リンクレバー３４３を回動させると、支持ロッド３４１がＸ方向に移動する。
【００２８】
たとえば、リンク部材３４２とリンク部３４３ａの合計長さが長くなるように（一直線となるように）配置される場合には、上半身側分割浴槽２０Ａと下半身側分割浴槽２０Ｂとが連結されたロック状態となる。また、リンク部材３４２とリンク部３４３ａとが互いに角度をなすように配置される場合には両者の連結が解除された状態となる。このように、クランプ機構３４は、リンク機構を利用して、支持ロッド３４１を解除ポジションと連結ポジションの２つの位置に切り替えることが可能となっている。なお、クランプ機構３４は、リンク機構を用いずに、カム等を利用しても良い。
【００２９】
このようなクランプ機構３４が合計４か所に設けられていて、上半身側分割浴槽２０Ａと下半身側分割浴槽２０Ｂとの安定的な連結が行えるが、クランプ機構３４は、上半身側分割浴槽２０Ａと下半身側分割浴槽２０Ｂの連結が安定的となるのであれば、その個数は限定されない。
【００３０】
また、接合部材３１と接合部材３２のいずれか一方には、支持アーム３５が取り付けられている。支持アーム３５は、ハンモック状の介護用ベッド（図示省略）の下方に回り込ませる、支持ベルトの端部側を引っ掛ける部分である。支持ベルトを引っ張ると、入浴している利用者を浴槽内部２１から引き上げることができる。そして、利用者を引き上げた状態で、その利用者の身体を洗う等の動作が行える。
【００３１】
このような支持アーム３５が存在しない状態では、介護スタッフは、浴槽内部２１の湯水に手を入れて、利用者の身体を横に向ける等の作業が必要となっていた。または、介護用ベルト自体を浴槽内部２１から引き上げる必要があった。しかしながら、このような支持アーム３５の存在により、その支持アーム３５に支持ベルトを引っ掛ける等すれば、利用者の腰回り部分のみを浴槽内部２１から持ち上げることができ、介護スタッフの作業負荷の軽減を図ることができる。
【００３２】
続いて、支持脚部４０について説明する。図１および図２に示すように、支持脚部４０は、浴槽本体部２０を支持する部分であり、居室内部の設置部位と接触する部分である。かかる支持脚部４０は、浴槽本体部２０を良好に支持できるものであれば、どのような形態でも良い。本実施の形態では、支持脚部４０は、分岐した、または非分岐の支持アーム４１を備えていて、その支持アーム４１の上端部４１ａ側が浴槽本体部２０の下面側に、たとえば接着等の手法により取り付けられている。また、分岐アーム４１の下方は、幅方向で連結アーム４２を介して互いに連結されていて、その連結アーム４２は、耐久性を有すると共に設置部位に接する樹脂部材４３が取り付けられている。
【００３３】
また、浴槽内部２１には、排水のためのドレン部材５０が取り付けられている。本実施の形態では、浴槽内部２１には、頭から下の身体が入る部分であるメイン浴槽部２１１と、洗髪等を行うために頭が位置する洗髪台部２１２とが設けられていて、メイン浴槽部２１１と洗髪台部２１２のそれぞれの内部の最も下方側にドレン部材５０が設けられている。
【００３４】
次に、浴槽本体部２０の構成の詳細について説明する。図１に示すように、浴槽本体部２０のうち、上半身側分割浴槽２０Ａ側には、ハイカット部２２、首支持部２３、バックレスト部２４が設けられている。また、下半身側分割浴槽２０Ｂには、フットレスト部２５と、中央隆起部２６ａとが設けられている。さらに、上半身側分割浴槽２０Ａと下半身側分割浴槽２０Ｂに跨るように、拡幅部２７が設けられている。以下、これらの詳細について説明する。
【００３５】
図２に示すように、ハイカット部２２は、浴槽本体部２０の側壁２０ｓの上縁部２０ｓ１を、浴槽本体部２０の他の部分よりも高く形成した部分である。より詳細には、ハイカット部２２は、首支持部２３よりも下半身側分割浴槽２０Ｂ側（Ｘ２側）の部位を始点（図２において始点Ｓｔとする）として、洗髪台部２１２側（Ｘ１側）に向かうにつれて、上縁部２０ｓ１の高さが徐々に高くなるように設けられている部分である。加えて、始点Ｓｔから洗髪台部２１２側（Ｘ１側）に向かう場合に、ハイカット部２２の上縁部２０ｓ１の始点Ｓｔ側では、洗髪台部２１２側（Ｘ１側）に向かう場合に上方側に向かうように湾曲する曲率が最も大きく設けられている。しかし、ハイカット部２２のうち首支持部２３側よりも一端側（Ｘ１側）では、上縁部２０ｓ１の傾斜角度が始点Ｓｔ側よりも緩くなるように設けられている。そのため、ハイカット部２２が不必要に高くならずに済み、介護スタッフの作業性を確保している。
【００３６】
また、首支持部２３に利用者の首を乗せた状態で、利用者の目線の位置でハイカット部２２を幅方向（Ｙ方向）に切断すると、ハイカット部２２の高さは利用者の目線の高さよりも高くなるように設けられている。ただし、首支持部２３の位置で、幅方向（Ｙ方向）で切断したときのハイカット部２２の高さが、利用者の目線の高さよりも高くなるようにしても良い。
【００３７】
そのため、利用者が入浴している場合には、その視界がハイカット部２２で覆われる状態となる。また、このような形状とする場合、ハイカット部２２は、主として頭部が位置する洗髪台部２１２の高さを高くする状態となる。このとき、ハイカット部２２は、ヘルメット形状に類似した状態となり、ハイカット部２２で頭部の側面を良好に覆う状態となる。
【００３８】
ところで、介護スタッフが周囲にいる状況で、利用者が裸になって訪問入浴サービスを利用する場合、利用者の中には、心理的な面で抵抗のある人が少なくない。特に、利用者自身が周囲を容易に確認できる状況では、その心理面での抵抗が大きくなる。しかしながら、利用者の目線をある程度遮ると、利用者の心理面での抵抗を軽減可能であることが、医療関係者を含めた開発の過程で明らかとなり、そのためにハイカット部２２を設けることが有効であることが判明した。したがって、かかるハイカット部２２を設けることで、利用者が訪問入浴サービスを利用する際の満足度を高めることが可能となる。
【００３９】
また、ハイカット部２２は、洗髪台部２１２を高く覆う状態となっている。このため、利用者の洗髪の際に、湯水が周囲に飛散するのを防ぐといった効果も発揮させることができる。
【００４０】
なお、ハイカット部２２は、上述した上縁部２０ｓ１と比較して、最も高い部分がたとえば１５０ｍｍ程度とすることが可能である。
【００４１】
また、図１他に示すように、上縁部２０ｓ１は、浴槽内部２１から外側に向かう回り込み部２０１のうち上縁側の部分である。そして、上縁部２０ｓ１の最も外側からは、下方に向かうように下方延伸部２０ｓ２も設けられている。このような上縁部２０ｓ１と下方延伸部２０ｓ２とが設けられることにより、浴槽内部２１の剛性を高めることが可能となる。
【００４２】
また、浴槽本体部２０の材質である樹脂基材Ｐ１および被覆材Ｐ２と、回り込み部２０１とが相俟って、浴槽本体部２０の剛性を一層高めることが可能となる。そのため、従来のようなたとえばＦＲＰを材質としつつ金属製のフレーム等の補強部材が必要な浴槽本体部と比較して、浴槽本体部２０の重量を低減可能となっている。その一例としては、従来の浴槽本体部の重量が約４０ｋｇであったのに対して、本実施の形態の浴槽本体部２０ではその半分程度（約２０ｋｇ程度）とすることができる。それにより、介護スタッフが浴槽本体部２０を搬送する際の労力を軽減することができる。
【００４３】
次に、首支持部２３について説明する。図６は、首支持部２３を拡大して示す斜視図である。また、図７は、浴槽本体部２０を首支持部２３付近で切断した状態を示す正面断面図である。首支持部２３は、入浴中の利用者の首を支持する部分である。この首支持部２３は、浴槽本体部２０の幅方向（Ｙ方向）に延伸していて、その延伸方向（Ｙ方向）における中央部分が最も凹む（凹部２３ａが存在する）ように、延伸方向において湾曲している。また、首支持部２３の幅方向（Ｘ方向）においては、首支持部２３の延伸方向の各部位においても、寸法がさほど変化しないように設けられている。それにより、首支持部２３には、幅が大幅に狭くなる部分が存在せず、首支持部２３にて首を安定的に支持することができる。
【００４４】
ここで、首支持部２３のうち延伸方向（Ｙ方向）のうち、高さ方向で最も低い中央側の部位（凹部２３ａの中央側の部位）は、ハイカット部２２のうち延伸方向（Ｙ方向）において首支持部２３と同じ部位よりも低く設けられている。しかも、首支持部２３に首を乗せた状態では、上記と同じ延伸方向（Ｙ方向）において、目線の高さはハイカット部２２よりも低くなるように設けられている。そのため、利用者の頭部周囲はハイカット部２２で覆われる状態となり、利用者の目線をハイカット部２２にて良好に遮ることが可能となり、利用者の心理面での抵抗を軽減可能である。
【００４５】
なお、凹部２３ａの最も低い位置から、ハイカット部２２の上端部２２ａのうち上述の延伸方向（Ｙ方向）に位置する部位までの高さは、１６０ｍｍ程度となっている。また、ハイカット部２２以外の上縁部２０ｓ１からハイカット部２２のうち最も高い上端部２２ａまでの高さは、１５０ｍｍ程度となっている。このような寸法設定とする場合、ハイカット部２２を必要以上に高くせずに浴槽本体部２０の軽量化が図れつつも、利用者の心理面での抵抗を軽減可能である。
【００４６】
また、首支持部２３からＸ２側に向かう部分は、バックレスト部２４に対応している。図８は、浴槽本体部２０の側面断面図である。バックレスト部２４は、利用者の背中から腰の部分が接触する部分であるため、図８に示すような滑らかな曲線形状に形成されている。具体的には、バックレスト部２４のうち首支持部２３側の上部側が設置面に対してなす傾斜角度α１は、４５度を超える角度に設けられている。この傾斜角度α１としては、たとえば６０度前後とするものがあるが、４５度〜８０度の範囲が好ましい。そして、図８に示すように、バックレスト部２４の上方側から下方に向かうにつれて、滑らかな曲面を描くように設けられている。このため、バックレスト部２４では、メイン浴槽部２１１の底部２１１ａに至るまで、曲率の大きな変動はないように形成されている。
【００４７】
なお、バックレスト部２４の終端は、上述したドレン部材５０に近接していて、メイン浴槽部２１１内部で最も低い部位となっている。
【００４８】
また、メイン浴槽部２１１のうち、バックレスト部２４とは反対側（Ｘ２側）の端部には、フットレスト部２５が設けられている。フットレスト部２５は、利用者の足先が位置する部分である。本実施の形態では、フットレスト部２５は、上方に位置する立ち上がり部２５ａと、立ち上がり部２５ａの下方に位置する湾曲部２５ｂとを有している。立ち上がり部２５ａは、その断面形状が直線状か、または曲率の小さな曲面形状に設けられていて、その立ち上がり部２５ａは、高さ方向で２５の２／３〜４／５程度を占めている。
【００４９】
この立ち上がり部２５ａのうち上方側（Ｚ１側）の部分が設置面に対してなす傾斜角度β１１は、９０度よりは小さいものの、６０度よりは大きく設けられている。この傾斜角度β１１としては、７０度〜８８度の範囲が好ましい。また、立ち上がり部２５ａの下方側（Ｚ２側）が設置面に対してなす傾斜角度β１２も、上述と同様に６０度よりは大きく設けられていて、上方側の傾斜角度β１１と同等か、または若干小さく設けられている。
【００５０】
一方、湾曲部２５ｂは、立ち上がり部２５ａの下端から急激に曲がって、底部２１１ａに連なる部分である。フットレスト部２５のうち、立ち上がり部２５ａの角度が上述のような大きな角度に設けられることにより、利用者の足先を伸ばす空間を広げることが可能となる。特に、湾曲部２５ｂが高さ方向（Ｚ方向）において、立ち上がり部２５ａに占める割合が従来形状よりも低くなり、また立ち上がり部２５ａの角度を、上述のような角度範囲とすることで、より足先を伸ばす空間を広げることが可能となる。
【００５１】
ここで、従来の浴槽本体部２０Ｒは、次のように構成されている。図９は、従来の浴槽本体部２０Ｒの側断面図である。図９に示すように、従来の浴槽本体部２０Ｒでは、バックレスト部６４の上方側が設置面に対してなす傾斜角度α２は、４５度よりも小さく設けられている。そのため、腰の位置は、本実施の形態の浴槽本体部２０よりもＸ２側に位置してしまう。それにより、利用者が浴槽内部６１の内部に入っても脚が曲がった状態となることが多い。加えて、従来の浴槽本体部２０Ｒでは、フットレスト部６５の上方側の傾斜角度β２１も、立ち上がり部６５ａの上方側の傾斜角度β１１および下方側の傾斜角度β１２の双方よりも小さく設けられている。このため、従来の浴槽本体部２０Ｒでは、一層脚を曲げて浴槽内部６１に入ることになる。
【００５２】
以上のような比較から明らかなように、本実施の形態の浴槽本体部２０では、浴槽内部２１の底部２１１ａの寸法を長くとることができ、それによって利用者が脚を伸ばして入浴し易くなり、利用者の満足度を高めることが可能となる。
【００５３】
図１０は、図８におけるＡ−Ａ線付近で浴槽本体部２０を切断した状態を示す正面断面図であり、切断部分からＸ１側を見た状態を示す図である。図１０に示すように、下半身側分割浴槽２０Ｂの底部２１１ａのうち、幅方向（Ｙ方向）の中央側には、中央隆起部２６ａが設けられていて、その中央隆起部２６ａの幅方向（Ｙ方向）の両側には、ガイド凹部２６ｂが設けられている。
【００５４】
中央隆起部２６ａは、ガイド凹部２６ｂよりも突出している部分である。そのため、ドレン部材５０から排水する場合、湯水が残り少なくなると、湯水は中央隆起部２６ａには位置し難くなるので、ガイド凹部２６ｂに湯水が集中的に集まる。それにより、浴槽内部２１の内部での排水性を高めることが可能となる。したがって、介護用浴槽１０を利用後に撤収する場合、その撤収作業の時間短縮を図ることができる。
【００５５】
また、中央隆起部２６ａが存在しない場合と比較して、浴槽内部２１における湯水の量を低減することも可能となる。さらに、ガイド凹部２６ｂには、利用者の脚を位置させ易くなるが、その際に、利用者の脚を決めして、脚が不安定な状態となるのを抑制可能となる。さらに、中央隆起部２６ａおよびガイド凹部２６ｂが存在しない場合と比較すると、浴槽本体部２０の剛性を向上させることができる。
【００５６】
図１１は、図８におけるＢ−Ｂ線付近で浴槽本体部２０を切断した状態を示す正面断面図であり、切断部分からＸ１側を見た状態を示す図である。図１１に示すように、上半身側分割浴槽２０Ａの上方側には、拡幅部２７が設けられている。拡幅部２７は、浴槽内部２１の上部側において、図１１に示す形状線Ｍよりも、浴槽内部２１の幅を広げた部分である。この拡幅部２７は、形状線Ｍに対して、２０ｍｍ〜４０ｍｍ程度、浴槽内部２１の幅を広げた部分となっているが、それ以外の寸法だけ幅を広げてもよい。なお、形状線Ｍは、図１１に示す断面の下方側から上方側に向かう際に、側壁面２１ａの曲率を変動させないと想定した場合の仮想的な断面線である。
【００５７】
しかも、図１１に示すように、拡幅部２７は、拡幅メイン部２７ａと、移行部２７ｂとを有している。拡幅メイン部２７ａは、図１１に示す形状線Ｍに対して平行となるように、その断面形状が直線状または移行部２７ｂよりも曲率の小さな曲線形状に設けられている。一方、移行部２７ｂは、拡幅メイン部２７ａよりも曲率が大きく設けられていて、この移行部２７ｂを経て、それよりも下方に位置する側壁面２１ａと連なっている。
【００５８】
移行部２７ｂに沿って上側から下側に向かうと、移行部２７ｂには曲がる向きが逆転する２つの湾曲部（第１湾曲部２７ｂ１、第２湾曲部２７ｂ２）が設けられている。第１湾曲部２７ｂ１は、上方から下方に向かうと徐々に浴槽内部２１の中央側に向かう（浴槽内部２１から外部に向かうように凸となる）ように湾曲している部分である。また、第２湾曲部２７ｂ２は、上方から下方に向かうと徐々に浴槽内部２１の外側に向かう（浴槽本体部２０の外側から浴槽内部２１に向かうように凸となる）ように湾曲している部分である。
【００５９】
たとえば、移行部２７ｂを備えずに、急激な段差状となる部分を備えるのみでは、拡幅部２７に手を差し込んだときに、その手を利用者の背中に向けて滑らかにガイドできない。また、介護スタッフの手等を小面積で押圧する等の部位が生じ、作業性が悪化する。しかしながら、上述のような移行部２７ｂを備える構成の場合、介護スタッフの手を滑らかに利用者の背中にガイドすることが可能となり、介護スタッフの作業性を向上させることができる。
【００６０】
ところで、介護用浴槽１０は、軽自動車ベースの業務用車（入浴車）にも積載可能とする必要があるので、浴槽本体部２０の幅には、最大で８００ｍｍ程度と制約がある。一方で、利用者がゆったりと入浴できるように、浴槽内部２１の内部寸法は可能な限り広げるのが好ましい。しかしながら、浴槽内部２１の湯水の量は低減する方が好ましいので、腕等の存在する上半身側よりも下半身側は、若干広くする必要がある。
【００６１】
しかし、従来の浴槽本体部においては、特にハンモック状の介護用ベッドに利用者が乗せられた状態で浴槽内部に入ると、利用者の腕等を含めた上半身が比較的上方側に位置し、浴槽内部の幅方向の全体に亘って、利用者の腕等を含めた身体が占有する状態となることも多い。その状態では、利用者が横向きにならないと、介護スタッフの手が入らない場合が多く、介護を必要とする利用者が自身の力で横向きの姿勢をとるのは容易でないことが多い。そのため、介護スタッフが利用者の姿勢を横向きにするのに負荷がかかる状態となっている。
【００６２】
また、従来の浴槽本体部では、利用者の背中等を洗う場合には、利用者の左右側いずれかが下側となるように横向きとした後に、介護スタッフの片手を利用者の下側に回して利用者を押さえながら、もう片手で湯水に使っている側（下側）の背中を洗うことになる。その後に、今度は左右側の反対側が下側となるように横向きとした後に、介護スタッフの片手を利用者の下側に回して利用者を押さえながら、もう片手で湯水に使っている側（下側）の背中を洗うことになる。このような作業は、介護スタッフにとって大きな負荷がかかる状態となっている。
【００６３】
しかしながら、上記のような拡幅部２７が存在することにより、介護スタッフの手を滑らかに利用者の背中側にガイドすることができる。そのため、利用者が寝たままの状態で、利用者の背中を洗うことが可能となる。また、利用者を横向きの姿勢とする作業も容易となる。また、拡幅部２７の存在により、手を利用者の下側に位置させるのが容易となり、介護スタッフの負荷を軽減することが可能となる。
【００６４】
次に、洗髪台部２１２について説明する。図１および図２他に示すように、上半身側分割浴槽２０Ａには、洗髪台部２１２が設けられている。洗髪台部２１２は、首支持部２３よりもＸ１側に位置する部分であり、上述したハイカット部２２が主として位置する部分である。洗髪台部２１２には、利用者の頭部が位置する部分であり、図１、図２および図８等に示すように凹部形状に設けられている。ただし、洗髪台部２１２の凹んだ部分の底部２１２ａは、頭部を洗髪等する際に必要十分な寸法となる程度だけ凹んでいるので、メイン浴槽部２１１の底部２１１ａよりも高い位置に設けられている。なお、この底部２１２ａの最も低い位置には、ドレン部材５０が取り付けられている。
【００６５】
＜浴槽本体部２０の付加的な構成について＞
次に、浴槽本体部２０の付加的な構成について説明する。図１に示すように、上半身側分割浴槽２０Ａには、一対の取手６０が設けられている。取手６０は、首支持部２３よりもＸ１側に位置していて、浴槽内部２１に突出するように設けられている。この取手６０は略コの字形状に設けられていて、その両端が側壁面２１ａの上方側に取り付けられている。この取手６０には、入浴の際に用いられるハンモッグのフックが掛けられるようになっている。すなわち、ハンモッグの四隅にはフックが配置されているが、それらのフックのうち利用者の頭部に近い側（前端側とする）の２つの隅部のフックが取手６０に掛けられる。
【００６６】
一方、図１および図２に示すように、下半身側分割浴槽２０Ｂには、一対の滑車ユニット７０が取り付けられている。それぞれの滑車ユニット７０は、図示を省略するワイヤの移動をガイドするための滑車が単数または複数設けられている。また、ワイヤの端部は、連結具を介して利用者の足先に近い側（後端側とする）のフックに連結される。そのため、滑車ユニット７０を介して、ハンモッグを張設したり、緩めることができる。
【００６７】
すなわち、利用者がハンモッグの上に寝た状態で、滑車ユニット７０を介して浴槽内部２１側にワイヤを供給すると、ハンモッグが緩むが、そのようにハンモッグを緩めた場合には、ハンモッグが浴槽内部２１の底部に接触する。そのため、利用者の身体が湯水に十分に浸かることができる。一方、利用者がハンモッグの上に寝た状態で滑車ユニット７０を介して浴槽内部２１側からワイヤを引き上げてハンモッグを張設した場合には、利用者が湯水にほとんど浸からない状態とすることができる。
【００６８】
また、滑車ユニット７０を飛び出したそれぞれのワイヤは、図２に示すような保護ケーブル８０に覆われた状態で、浴槽本体部２０の下方側へとガイドされ、送り機構９０の内部へと導かれる。送り機構９０は、たとえば送りねじ（図示省略）の回転によってワイヤを接続している接続部材（図示省略）が前後方向（Ｘ方向）に移動するものである。図２に示す構成では、送りねじは、筒状部材９１の内部に回転自在となる状態で収納されている。
【００６９】
なお、送りねじのうち一端側（Ｘ１側）には、ジョイント部材９２が連結され、そのジョイント部材９２は、介護用浴槽１０の一端側（Ｘ１側）まで延伸している。そして、ジョイント部材９２の一端側（Ｘ１側）には、図示を省略するハンドルが連結されていて、このハンドルを回転させることで、ワイヤの供給およびそれとは逆のワイヤの引き上げが可能となる。ここで、ジョイント部材９２は、図２に示すようなシャフトを備えるものでも良いが、変形が自在なフレキシブルジョイントを用いるようにしても良い。なお、ハンドルに代えて、モータ等を用いた駆動手段により、ワイヤの供給や、それとは逆の引き上げを、自動的に行うようにしても良い。
【００７０】
＜効果について＞
以上のような構成の介護用浴槽１０によると、上半身側分割浴槽２０Ａには、その上半身側分割浴槽２０Ａの長手方向（Ｘ方向）において首支持部２３よりも下半身側分割浴槽２０Ｂを始点Ｓｔとして洗髪台部２１２に向かうにつれて側壁２０ｓの上縁部２０ｓ１が徐々に高くなるハイカット部２２が設けられている。また、ハイカット部２２では下半身側分割浴槽２０Ｂから離間する一端側（Ｘ１側）の上縁部２０ｓ１（上端部２２ａ）が最も上方側に位置している。また、ハイカット部２２の始点Ｓｔ側は、洗髪台部２１２に向かうにつれて側壁２０ｓの上縁部２０ｓ１が上方側に向かうように湾曲する曲率が最も大きく設けられていて、ハイカット部２２のうち首支持部２３側よりも一端側（Ｘ１側）では、上縁部２０ｓ１の傾斜角度が徐々に緩くなるように設けられている。
【００７１】
このため、ハイカット部２２は、利用者の頭部の側方を覆う状態となり、適度な包まれ感により利用者の心理的な安心感を高めることができる。すなわち、首支持部２３で利用者の頭部が持ち上げられると、浴槽内部２１から飛び出し、その際に、利用者は心理的に落ち着かない状態となりがちである。しかしながら、ハイカット部２２で頭部の側面側を仕切ることにより、利用者の頭部が浴槽内部２１から飛び出していることによる不安定な感覚を軽減することができ、利用者を心理的に落ち着かせることができる。
【００７２】
また、ハイカット部２２が高くなり過ぎる場合には、特に洗髪台部２１２においては、利用者の洗髪等の作業の支障になる。しかしながら、始点Ｓｔ側での曲率が大きくなるようにした上で、上端部２２ａ側に向かうにつれて上縁部２０ｓ１の傾斜角度が徐々にゆるくなるように設けられている。そのため、ハイカット部２２が高くなり過ぎるのを抑えることができ、介護スタッフの作業性が悪化するのを防止可能となる。
【００７３】
また、本実施の形態では、ハイカット部２２は、首支持部２３に利用者の首を乗せた状態において当該利用者の目線よりも高い上端部２２ａを有している。このため、介護スタッフが周囲にいる状況において、利用者が裸になって訪問入浴サービスを利用する場合でも、利用者の心理的な面での抵抗を軽減することができる。すなわち、ハイカット部２２を設けることで、利用者が訪問入浴サービスを利用する際の満足度を高めることが可能となる。
【００７４】
また、ハイカット部２２は、洗髪台部２１２を高く覆う状態となるので、利用者の洗髪の際に、湯水が周囲に飛散するのを防ぐことも可能となる。
【００７５】
また、本実施の形態では、ハイカット部２２は、浴槽本体部２０の長手方向（Ｘ方向）のうち利用者の足先側の他端側（Ｘ２側）に向かうにつれて、その上端部２２ａが下降すると共に利用者が下半身側の周囲を見渡せる視界確保形状に設けられている。このため、ハイカット部２２の側方等を覆って心理的な安心感を高めつつも、利用者の視界を確保できる。
【００７６】
すなわち、ハイカット部２２の存在により適度な包まれ感を備えて心理的な安心感を高められるが、下半身側の周囲を見渡せない状況では「何をされるのか」といった不安が増す場合がある。しかし、ハイカット部２２が上述のような視界確保形状に設けられていることにより、介護スタッフによって利用者が何をされるのか等を確認できるので、上述のような不安を軽減可能となる。それにより、利用者の満足度を高めることが可能となる。
【００７７】
さらに、本実施の形態では、首支持部２３から下半身側分割浴槽２０Ｂに向かう部分には、利用者の首の下方側から腰にわたる部分を支持するバックレスト部２４が設けられている。しかも、バックレスト部２４のうち首支持部２３の上部側が設置面に対してなす傾斜角度α１は、４５度を超える角度に設けられ、当該バックレスト部２４の上方側から下方に向かうにつれて、滑らかな曲面を描くように設けられている。
【００７８】
このため、傾斜角度α１は、図９に示すような従来の浴槽本体部２０Ｒのバックレスト部２４０の傾斜角度α２と比較して大きくなり、それによってメイン浴槽部２１１内部で利用者の腰の位置を従来の浴槽本体部２０ＲよりもＸ１側に位置させることができる。そのため、メイン浴槽部２１１内部では、利用者が足を伸ばす空間を広げることができる。したがって、利用者が屈んだ状態になるのを防ぐことができ、利用者の満足度を高めることができる。
【００７９】
また、バックレスト部２４の存在により利用者の頭部は起きがちとすることができるが、その際でも、バックレスト部２４とハイカット部２２とが相俟って、利用者への心理的な面での安心感を確保することができる。
【００８０】
また、本実施の形態では、少なくとも上半身側分割浴槽２０Ａには、拡幅部２７が設けられている。このため、介護スタッフが手を差し込む部分を確保することができる。しかも、拡幅部２７には、拡幅メイン部２７ａと、移行部２７ｂとが設けられている。拡幅メイン部２７ａは、上述の形状線Ｍに対して平行となるように、その断面形状が直線状または移行部２７ｂよりも曲率の小さな曲線形状に設けられていて、移行部２７ｂに沿って上側から下側に向かうと、当該移行部２７ｂには曲がる向きが互いに逆転する第１湾曲部２７ｂ１と第２湾曲部２７ｂ２とが設けられている。かかる移行部２７ｂの存在により、介護スタッフの手を滑らかに利用者の背中にガイドすることが可能となり、介護スタッフの作業性を向上させることができる。それにより、介護スタッフが利用者の身体を洗う際の負荷を軽減することが可能となる。特に、介護スタッフは、一日当たりの訪問件数も多いので、同様の作業を一日に何度も行うことになるが、上述のような拡幅部２７の存在により、介護スタッフには大きな負荷の低減効果がある。
【００８１】
加えて、バックレスト部２４は傾斜角度α１が従来の浴槽本体部２０Ｒのバックレスト部２４０の傾斜角度α２と比較して大きく設けられているので、利用者の背中とバックレスト部２４との間には、隙間を形成することができる。しかも、拡幅部２７の存在により、介護スタッフは、その隙間に手を入れやすくなる。そのため、たとえば利用者の背中を洗ったり、利用者の向きを変えるといった作業を一層行い易くなり、介護スタッフの負荷を一層軽減することができる。
【００８２】
さらに、本実施の形態では、下半身側分割浴槽２０Ｂの底部２１１ａのうち、幅方向（Ｙ方向）の中央側には、中央隆起部２６ａが設けられ、その中央隆起部２６ａの幅方向（Ｙ方向）の両側には、ガイド凹部２６ｂが設けられている。そして、中央隆起部２６ａは、ガイド凹部２６ｂよりも上方に突出して設けられている。そのため、メイン浴槽部２１１から排水する場合、湯水が残り少なくなると、ガイド凹部２６ｂに湯水が集中的に集まるので、浴槽内部２１の内部での排水性を高めることが可能となる。したがって、介護用浴槽１０を利用後に撤収する場合、その撤収作業の時間短縮を図ることができる。
【００８３】
また、中央隆起部２６ａが存在しない場合と比較して、浴槽内部２１における湯水の量を低減することも可能となる。さらに、ガイド凹部２６ｂには、利用者の脚を位置させ易くなるが、その際に、利用者の脚を決めして、脚が不安定な状態となるのを抑制可能となる。さらに、中央隆起部２６ａおよびガイド凹部２６ｂが存在しない場合と比較すると、浴槽本体部２０の剛性を向上させることができる。
【００８４】
また、浴槽内部２１の色は、オレンジ色とすることができる。たとえば街灯を青色にする等で犯罪の件数を低減された等のように、一般に、人間は、自身が認識した色によって心理的に誘導されることが多々ある。上記のように浴槽内部２１の色をオレンジ色とする場合には、利用者に楽天的な印象をあたえ、陽気な印象を与えることができる。また、消化、新陳代謝をよくする作用があり、食欲を増進させると共に、血管や自律神経を刺激し身体を活動的にすることも期待できる。
【００８５】
＜変形例＞
以上、本発明の一実施の形態について説明したが、本発明はこれ以外にも種々変形可能となっている。以下、それについて述べる。
【００８６】
上述の実施の形態では、浴槽本体部２０は、上半身側分割浴槽２０Ａと下半身側分割浴槽２０Ｂとによって構成されている。しかしながら、浴槽本体部は、３分割以上に分割される構成としても良く、また分割されない一体的な形状としても良い。また、パッキン部３０の構成は、上述の構成に限られるものではなく、上半身側分割浴槽２０Ａと下半身側分割浴槽２０Ｂを連結可能であり、かつ両者の間で湯水が漏れるのを防止可能であれば、どのような構成であっても良い。
【００８７】
１０…介護用浴槽、２０，２０Ｒ…浴槽本体部、２０Ａ…上半身側分割浴槽（第１分割浴槽に対応）、２０Ｂ…下半身側分割浴槽（第２分割浴槽に対応）、２０ｓ…側壁、２０ｓ１…上縁部、２０ｓ２…下方延伸部、２１，６１…浴槽内部、２１ａ…側壁面、２２…ハイカット部、２２ａ…上端部、２３…首支持部、２３ａ…凹部、２４，６４…バックレスト部、２５，６５…フットレスト部、２５ａ，６５ａ…立ち上がり部、２５ｂ…湾曲部、２６ａ…中央隆起部、２６ｂ…ガイド凹部、２７…拡幅部、２７ａ…拡幅メイン部、２７ｂ…移行部、２７ｂ１…第１湾曲部、２７ｂ２…第２湾曲部２７、３０…パッキン部、３１，３２…接合部材、３１ａ…挿通孔、３２ａ…ロッド用切欠部、３３…シール部材、３４…クランプ機構、３５…支持アーム、４０…支持脚部、４１…分岐アーム、４１ａ…上端部、４２…連結アーム、４３…樹脂部材、５０…ドレン部材、２０１…回り込み部、２１１…メイン浴槽部、２１１ａ…底部、２１２…洗髪台部、２１２ａ…底部、２４０…バックレスト部、２５０…フットレスト部、３４１…支持ロッド、３４２…リンク部材、３４３…リンクレバー、３４３ａ…リンク部、３４３ｂ…把持部、３４４…リンク固定部、Ｐ１…樹脂基材、Ｐ２…被覆材、Ｓｔ…始点
【図１】
2016116554.tif 000003
【図２】
2016116554.tif 000004
【図３】
2016116554.tif 000005
【図４】
2016116554.tif 000006
【図５】
2016116554.tif 000007
【図６】
2016116554.tif 000008
【図７】
2016116554.tif 000009
【図８】
2016116554.tif 000010
【図９】
2016116554.tif 000011
【図１０】
2016116554.tif 000012
【図１１】
2016116554.tif 000013